(57)【要約】【課題】  乾燥室に隣接する屋内空間の空気の温湿度状態と相互に干渉し難い乾燥装置を提供すること。【解決手段】  吸引した空気を加熱器９にて加熱して乾燥室ＢＲ内へ通風する通風加熱手段７，８，９，１０と、前記乾燥室内ＢＲの空気を吸引して屋外へ排出する排気手段３ｂ，１２，１３，２９，３０，３１，３２とが備えられた乾燥装置であって、屋外の空気を乾燥室ＢＲに導入する外気導入手段３４が備えられている乾燥装置を構成した。【選択図】        図２
2006275332.tif 000002
【特許請求の範囲】
【請求項１】
吸引した空気を加熱器にて加熱して乾燥室内へ通風する通風加熱手段と、前記乾燥室内の空気を吸引して屋外へ排出する排気手段とが備えられた乾燥装置であって、
屋外の空気を乾燥室に導入する外気導入手段が備えられている乾燥装置。
【請求項２】
前記外気導入手段が、導入状態と非導入状態とに切換え自在に構成され、
前記乾燥室が、前記乾燥室に隣接する隣接屋内空間の空気を導入する導入口を設けて構成されている請求項１記載の乾燥装置。
【請求項３】
前記隣接屋内空間の空気の温度及び湿度を計測する第１温湿度計測手段と、
屋外の空気の温度及び湿度を計測する第２温湿度計測手段と、
前記外気導入手段を導入状態と非導入状態とに切換える導入状態切換手段と、
乾燥運転を制御する制御手段とを備え、
前記制御手段が、
前記第１温湿度計測手段の計測情報及び前記第２温湿度計測手段の計測情報に基づいて、前記導入状態切換手段の作動を制御するように構成されている請求項２記載の乾燥装置。
【請求項４】
前記乾燥室が浴室であり、
前記排気手段が、前記乾燥室以外の他屋内空間内の空気を吸引して排出するように構成され、
前記排気手段が前記他屋内空間に対して吸引作用する作用状態と吸引作用しない非作用状態とに切換える吸引作用状態切換手段が設けられ、
前記制御手段が、
前記通風加熱手段及び前記排気手段を作動させて乾燥運転を行うときには、前記吸引作用状態切換手段を前記非作用状態に切換えるように構成されている請求項３に記載の乾燥装置。
【発明の詳細な説明】
【技術分野】
【０００１】
本発明は、吸引した空気を加熱器にて加熱して乾燥室内へ通風する通風加熱手段と、前記乾燥室内の空気を吸引して屋外へ排出する排気手段とが備えられた乾燥装置に関する。
【背景技術】
【０００２】
上記のような乾燥装置として、例えば、主にアパート及びマンション等の集合住宅及び一戸建て住宅の浴室に設置される浴室乾燥装置がある。この浴室乾燥装置は、通風加熱手段として、温水を熱源とする加熱器と、浴室内の空気を吸引して前記加熱器を通過させると共に前記加熱器を通過した空気を浴室内に送風する循環ファンとが設けられ、排気手段として、屋外へ通じる排気ダクトと、浴室内の空気を吸引してこの吸引した空気を前記排気ダクトに通風させる排気ファンが設けられており、循環ファン及び排気ファンを作動させて、湿度の比較的高い浴室の空気を屋外に排出させて、浴室に隣接する脱衣室等の湿度が比較的低い空気を、浴室入り口扉に設けた通風孔から浴室内に取り込みながら、浴室の空気を乾燥させるようになっている（例えば、特許文献１参照）。
【０００３】
【特許文献１】特開２００３−３３６８７５号公報
【発明の開示】
【発明が解決しようとする課題】
【０００４】
従来の、乾燥装置であると、乾燥室に隣接する屋内空間の空気が乾燥室内に取り込まれるので、乾燥室に隣接する屋内空間の空気の温湿度状態に影響が出るとともに、乾燥室に隣接する屋内空間の空気の温湿度が乾燥室の乾燥完了までの時間に影響するといった問題があった。
【０００５】
例えば、上述したように、乾燥装置が浴室に設置されて、脱衣室の空気が浴室内に取り込まれる場合には、脱衣室を快適な空調状態にしていたとすると、浴室を乾燥させるために、脱衣室の快適な空調状態が損なわれることになる。
【０００６】
また、入浴後に脱衣室が使用されて、脱衣室の湿度が高い場合には、浴室を乾燥させるとなると、湿度の高くなった脱衣室の空気が浴室に導入されることになり、浴室の乾燥が完了するまでの時間が長くなることになる。さらに、浴室乾燥時間としてタイマー設定された一定時間の乾燥運転が行われるような場合には、脱衣室が湿気ていると乾燥の程度が十分なものにならないことになる。
【０００７】
このように、従来の乾燥装置は、乾燥室に隣接する屋内空間の空調が施された温湿度状態を変動させるものであり、また、乾燥室に隣接する屋内空間の空気の温湿度状態に影響を受けるものである点で、乾燥装置として性能の良いものとはいえないものであった。
【０００８】
本発明は、上記事情に鑑み、乾燥室に隣接する屋内空間の空気の温湿度状態と相互に干渉し難い乾燥装置を提供することを目的としている。
【課題を解決するための手段】
【０００９】
本発明の第１特徴は、吸引した空気を加熱器にて加熱して乾燥室内へ通風する通風加熱手段と、前記乾燥室内の空気を吸引して屋外へ排出する排気手段とが備えられた乾燥装置において、屋外の空気を乾燥室に導入する外気導入手段が備えられている点にある。
【００１０】
本発明の第１特徴によると、屋外の空気を乾燥室に導入する外気導入手段が備えられているので、乾燥室を乾燥させるときに、排気手段が乾燥室の空気を吸引して屋外へ排出するにあたって、屋外の空気を導入することができる。したがって、隣接する屋内空間の空気を乾燥室に導入せずに乾燥室を乾燥させることができるものとなり、隣接する屋内空間の温湿度状態の影響を受けずに乾燥室を乾燥させることが可能となるとともに、隣接する屋内空間の温湿度状態に影響を与えることなく乾燥室を乾燥させることができる。
特に、屋外の空気が隣接する屋内空間の空気よりも乾燥しているときには、隣接する屋内空間の空気を乾燥室に導入する場合に比べて、乾燥室を乾燥状態にするまでに要する時間を短縮することができる。
このように、本発明の第１特徴によると、乾燥室に隣接する屋内空間の空気の温湿度状態と相互に干渉し難い乾燥装置を得ることができる。
【００１１】
本発明の第２特徴は、本発明の第１特徴において、前記外気導入手段が、導入状態と非導入状態とに切換え自在に構成され、前記乾燥室が、前記乾燥室に隣接する隣接屋内空間の空気を導入する導入口を設けて構成されている点にある。
【００１２】
本発明の第２特徴によると、本発明の第１特徴と同様の作用効果を備えており、これに加えて以下のような作用効果を備えている。
本発明の第２特徴によると、外気導入手段を、導入状態と非導入状態とに切換えることができ、乾燥室に隣接屋内空間の空気を導入する導入口が設けられているので、外気導入手段を非導入状態とした場合には、排気手段が乾燥室内の空気を吸引して屋外へ排出するのに伴って、乾燥室内が負圧状態となることで、隣接屋内空間の空気が導入口より導入される。
したがって、乾燥運転を行うときに隣接屋内空間の空気を導入すべき場合には、外気導入手段を非導入状態に切換えることで乾燥室に隣接屋内空間の空気を導入させることができ、乾燥運転を行うときに屋外の空気を導入すべき場合には、外気導入手段を導入状態に切換えることで乾燥室に屋外の空気を導入させることができる。
例えば、雨の日等、屋外の空気が湿っている場合には、外気導入手段を非導入状態に切換えることで、乾燥運転を行うときに、屋外の空気を導入せず、隣接屋内空間の空気を導入することができる。また、空調により快適な状態にされた隣接屋内空間の空気の温湿度環境を維持しておきたい場合には、乾燥運転を行うときに、隣接屋内空間の空気を導入せず、屋外の空気を導入することができる。
このように、本発明の第２特徴によると、乾燥運転を行うときに乾燥室に導入される空気を状況に応じて切換えることができる便利な乾燥装置を得ることができる。
【００１３】
本発明の第３特徴は、本発明の第２特徴において、前記隣接屋内空間の空気の温度及び湿度を計測する第１温湿度計測手段と、屋外の空気の温度及び湿度を計測する第２温湿度計測手段と、前記外気導入手段を導入状態と非導入状態とに切換える導入状態切換手段と、乾燥運転を制御する制御手段とを備え、前記制御手段が、前記第１温湿度計測手段の計測情報及び前記第２温湿度計測手段の計測情報に基づいて、前記導入状態切換手段の作動を制御するように構成されている点にある。
【００１４】
本発明の第３特徴によると、本発明の第２特徴と同様の作用効果を備えており、これに加えて以下のような作用効果を備えている。
本発明の第３特徴によると、第１温湿度計測手段が隣接屋内空間の空気の温度及び湿度を計測し、第２温湿度計測手段が屋外の空気の温度及び湿度を計測し、制御手段が、第１温湿度計測手段の計測情報及び第２温湿度計測手段の計測情報に基づいて、外気導入手段を導入状態と非導入状態とに切換える導入状態切換手段の作動を制御する。つまり、隣接屋内空間の空気の温湿度と屋外の空気の温湿度とに基づいて、導入状態切換手段の作動が制御されて、外気導入手段が、導入状態と非導入状態とに自動的に切換えられる。
したがって、制御手段が導入状態切換手段の作動を制御するときの条件として、乾燥室を乾燥させるときに導入される空気として隣接屋内空間の空気と屋外の空気のうち何れか適切な一方を選択するように設定しておけば、制御手段は、第１温湿度計測手段の計測情報及び第２温湿度計測手段の計測情報に基づいて、乾燥運転を行うときに導入する空気として適切な空気が選択されるように導入状態切換手段の作動を制御することができる。
これにより、制御手段により乾燥運転の制御が行われる場合には、隣接屋内空間の空気の温度及び湿度並びに屋外の空気の温度及び湿度が変化しても、隣接屋内空間の空気と屋外の空気のうち、乾燥室を乾燥させるに当たって適切な何れか一方の空気が自動的に選択される。
このように、本発明の第３特徴によると、ユーザーが外気導入手段を導入状態と非導入状態とに切換える操作をしなくても、適切な外部空気の導入状態のもとで乾燥運転を行うことができる点で高機能な乾燥装置を得ることができる。
【００１５】
本発明の第４特徴は、本発明の第３特徴において、前記乾燥室が浴室であり、前記排気手段が、前記乾燥室以外の他屋内空間内の空気を吸引して排出するように構成され、前記排気手段が、前記他屋内空間に対して吸引作用する作用状態と吸引作用しない非作用状態とに切換える吸引作用状態切換手段が設けられ、前記制御手段が、前記通風加熱手段及び前記排気手段を作動させて乾燥運転を行うときには、前記吸引作用状態切換手段を前記非作用状態に切換えるように構成されている点にある。
【００１６】
本発明の第４特徴によると、本発明の第３特徴と同様の作用効果を備えており、これに加えて以下のような作用効果を備えている。
本発明の第４特徴によると、他屋内空間に対して吸引作用する作用状態と吸引作用しない非作用状態とを、吸引作用状態切換手段により切換えることができ、作用状態であると、排気手段は、浴室以外の他屋内空間内の空気を吸引して排出し、非作用状態であると排気手段は、浴室以外の他屋内空間内の空気を吸引しない。
非作用状態では、排気手段の排気能力が浴室以外の他屋内空間内の空気の吸引に利用されないので、排気手段の排気能力の大部分が浴室の空気の排出に利用されるので、浴室の空気の排出を効果的に行うことができる。
したがって、浴室以外の他屋内空間内の空気を排出させたい場合には、吸引作用状態切換手段を作用状態に切換えればよく、浴室以外の他屋内空間内の空気を排出させたくない場合或いは浴室の空気を効果的に排出させたい場合には、吸引作用状態切換手段を非作用状態に切換えればよい。このようにして、浴室以外の他屋内空間内の空気を排出するか否かを任意に切換えることができる。
【００１７】
また、制御手段は、通風加熱手段及び排気手段を作動させて乾燥運転を行うときには、吸引作用状態切換手段を非作用状態に切換えるので、乾燥運転を行うときには、非作用状態となる。つまり、乾燥運転を行うときには、排気手段は浴室の空気を効果的に排出する状態になる。
したがって、乾燥運転を行うにあたって、浴室を乾燥状態にするまでに要する時間が短縮されることになる。
このように、本発明の第４特徴によると、浴室以外の他屋内空間内の空気を排出するか否かを任意に切換えることができる点、及び、乾燥運転を行うときには、浴室を能率的に乾燥させることができる点で高機能な浴室用の乾燥装置を得ることができる。
【発明を実施するための最良の形態】
【００１８】
以下、本発明の乾燥装置を適用した浴室暖房乾燥装置について図面に基づいて説明する。
本浴室暖房乾燥装置は、乾燥室としての浴室ＢＲ内の乾燥、暖房、涼風及び換気機能と、隣接屋内空間である他屋内空間としての脱衣室ＤＲ内の換気機能と、隣接屋内空間でない他屋内空間としてのトイレＴＲ内の換気機能を備え、図１に示すように、浴室ＢＲの天井１側に設置された浴室暖房乾燥ユニットＹと、この浴室暖房乾燥ユニットＹに温水などの熱媒を供給する屋外設置用の熱源機Ｋを備えている。
【００１９】
そして、この浴室暖房乾燥装置は、図２に示すように、浴室暖房乾燥ユニットＹと熱源機Ｋの動作を指令するリモコン操作部Ｒと、リモコン操作部Ｒの指令に基づいて浴室暖房乾燥ユニットＹ及び熱源機Ｋの作動を制御する制御手段としての制御部Ｈが設けられ、リモコン操作部Ｒが制御部Ｈに双方向に通信可能に接続されている。
【００２０】
図２に示すように、浴室暖房乾燥ユニットＹは、浴室ＢＲの天井１に設置される本体部３と、内気用吸気口４と吹き出し口５とを備えるグリル板６とを備えて構成されている。本体部３は、本体ケーシング３ａと、この本体ケーシング３ａの一側面に連設された排気部ケーシング３ｂからなる筐体構造となっており、各ケーシング３ａ，３ｂの内部にそれぞれ以下のような構成を有している。
【００２１】
本体ケーシング３ａ内には、内気用吸気口４を通して浴室ＢＲ内の空気を吸引して、或いは、外気吸入口２を通して屋外の空気を吸引して、吹き出し口５を通して空気を吹き出すための通風路７と、その通風路７に対して通風作用する循環ファン８と、通風路７を通風する空気に対して加熱作用する加熱器としての熱媒循環式の熱交換器９と、その熱交換器９にユニット内配管３６にて供給される熱媒としての温水の通流を断続する熱動弁１０と、浴室ＢＲ内から吸引され、通風路７を通風する空気の温度を測定する浴室サーミスタ１５と、ユニット内配管３６内を通流する温水の温度を測定する温水サーミスタ１６と、吹き出し口５を通して浴室ＢＲ内に吹き出される空気の吹き出し方向を変更自在な可動ルーバー１１とが備えられている。
【００２２】
本体ケーシング３ａと排気部ケーシング３ｂとの接続面に設けられた吸気用開口部の本体ケーシング３ａ内方側には、本体ケーシング３ａ内と排気部ケーシング３ｂ内との空気の通流を遮断可能な浴室用シャッター１７が設けられ、排気部ケーシング３ｂとの接続面とは異なる側面には、本体ケーシング３ａ内と屋外との空気の通流を遮断可能な外気シャッター３３が設けられている。また、本体ケーシング３ａには、熱交換器９に供給される熱媒の供給路である熱媒循環路３５が接続され、ユニット内配管３６に熱媒が供給されるようになっている。
【００２３】
排気部ケーシング３ｂ内には、浴室ＢＲ内の空気を吸引して排気ダクト１２を通して屋外に排気する排気ファン１３が設けられており、この排気ファン１３の吸引作用により、排気ダクト３１，３２を介して脱衣室ＤＲ内の空気及びトイレＴＲ内の空気をも屋外に排気できるようになっている。
【００２４】
本体ケーシング３ａが備える前記外気吸入口２には、建物の外壁に設けられた外気導入口３８（図１参照）に通じる外気導入ダクト３４が接続されており、前記外気シャッター３３は、外気吸入口２の本体ケーシング３ａ外方側、つまり、外気導入ダクト３４側に設けられている。
【００２５】
循環ファン８は、水平軸心周りで回転して、空気の吸引と排気とを共に回転軸心と直交する方向に沿って行うクロスフローファンにて構成され、回転軸心方向のほぼ全幅にわたる広い範囲にわたって熱交換器９を通して浴室ＢＲ内の空気或いは屋外の空気を吸引し、吹き出し口５から熱交換器９にて加熱された空気を浴室ＢＲ内に吹き出す通風作用を行うように構成されており、リモコン操作部Ｒからの指令に基づいて、循環ファン８を回転させるモータの駆動電圧を変更することによって、浴室ＢＲ内に送風される空気の送風量が変更されるように構成されている。
【００２６】
このように、本浴室暖房乾燥装置は、通風路７と、循環ファン８と、熱交換器９と、熱動弁１０により構成される通風加熱手段を備え、循環ファン８を作動させ、熱動弁１０を開弁させて熱交換器９に熱媒としての温水を供給して、吸入した空気を加熱して吹き出し口５を通して乾燥室としての浴室ＢＲ内に送風可能に構成されている。
さらに、本浴室暖房乾燥装置は、屋外の空気を浴室ＢＲに導入する外気導入手段として外気導入ダクト３４が備えられ、外気導入ダクト３４が前記外気シャッター３３により導入状態と非導入状態とに切換え自在に構成されている。
また、図１に示すように、浴室ＢＲに設けられた浴室扉３９の下部には、導入口としてのギャラリー４０が設けられており、浴室ＢＲが、隣接する脱衣室ＤＲの空気を導入する導入口を設けて構成されている。
【００２７】
図１及び図２に示すように、排気部ケーシング３ｂには、建物の外壁に設けられた内気排出口３７に通じる排気ダクト１２と、脱衣室ＤＲの天井面に設けられた脱衣室吸気口２９に通じる脱衣室用排気ダクト３１と、トイレＴＲの天井面に設けられたトイレ吸気口３０に通じるトイレ用排気ダクト３２とが接続されている。
排気部ケーシング３ｂと脱衣室用排気ダクト３１との接続箇所には、脱衣室ＤＲ側と排気部ケーシング３ｂ側との空気の通流を遮断可能な乾燥室用シャッター１８が設けられ、排気部ケーシング３ｂとトイレ用排気ダクト３２との接続箇所には、トイレＴＲ側と排気部ケーシング３ｂ側との空気の通流を遮断可能なトイレ用シャッター１９が設けられている。
なお、図２において、排気ダクト１２、排気ファン１３及び排気口１４を備えた排気ユニット部分については、排気ダクト１２、排気ファン１３及び排気口１４の位置関係についての理解を容易にするために上方から見た横断面図で示している。
【００２８】
排気ファン１３は、垂直軸心周りで回転して、空気の吸引を回転軸心方向から行って、排気を回転軸心と直交する方向に沿って行うシロッコファンにて構成され、シャッター１７，１８，１９側から空気を吸引し、排気口１４を通して排気ダクト１２に向けて空気を通風するように構成されている。
【００２９】
このように、本浴室暖房乾燥装置は、排気部ケーシング３ｂ、排気ダクト１２、排気ファン１３、脱衣室吸気口２９、トイレ吸気口３０、脱衣室用排気ダクト３１及びトイレ用排気ダクト３２から構成される排気手段を備え、排気手段が他屋内空間としての脱衣室ＤＲに対して吸引作用する作用状態と吸引作用しない非作用状態とに切換える吸引作用状態切換手段としての乾燥室用シャッター１８、及び、排気手段が他屋内空間としてのトイレＴＲに対して吸引作用する作用状態と吸引作用しない非作用状態とに切換える吸引作用状態切換手段としてのトイレ用シャッター１９が設けられ、浴室ＢＲ以外の他屋内空間内の空気を吸引して排出するように構成されている。
【００３０】
浴室暖房乾燥ユニットＹと熱源機Ｋの動作は、マイクロコンピュータを利用した制御部Ｈによって制御され、その制御部Ｈに双方向に通信可能なリモコン操作部Ｒは、浴室ＢＲに隣接する脱衣室ＤＲに設けられている。リモコン操作部Ｒには、脱衣室ＤＲの空気の温度及び湿度を計測する第１温湿度計測手段としての屋内用温湿度センサーＳ１が設けられており、また、熱源機Ｋには、屋外の空気の温度及び湿度を計測する第２温湿度計測手段としての屋外用温湿度センサーＳ２が内蔵されている。
これにより、制御部Ｈは、脱衣室ＤＲの温度及び湿度についての情報と屋外の温度及び湿度についての情報を取得でき、後述の乾燥運転、暖房運転及び涼風運転を行う場合には、これらの温湿度情報に基づいて導入状態切換手段としての外気シャッター３３の切換え作動を制御するように構成されている。
【００３１】
つまり、本浴室暖房乾燥装置は、隣接屋内空間としての脱衣室ＤＲの空気の温度及び湿度を計測する第１温湿度計測手段と、屋外の空気の温度及び湿度を計測する第２温湿度計測手段と、外気導入手段を導入状態と非導入状態とに切換える導入状態切換手段としての外気シャッター３３と、乾燥運転を制御する制御手段としての制御部Ｈを備え、制御部Ｈが、前記第１温湿度計測手段の計測情報及び前記第２温湿度計測手段の計測情報に基づいて、前記導入状態切換手段の作動を制御するように構成されている。
【００３２】
そして、リモコン操作部Ｒには、図３に示すように、浴室ＢＲ内を乾燥運転させる乾燥運転スイッチ２０と、浴室ＢＲ内を暖房運転させる暖房運転スイッチ２１と、浴室ＢＲ内を涼風運転させる涼風運転スイッチ２２と、浴室ＢＲ内を換気運転させる換気運転スイッチ２３が設けられている。また、暖房時の温度設定やタイマー時間の設定を指令する設定スイッチ２４、２５、及び、可動ルーバー１１による風向きを変更させる風向変更スイッチ２６や、２４時間換気を行わせる際の２４時間換気スイッチ２８が設けられている。
そして制御部Ｈは、リモコン操作部Ｒの指令に基づいて、乾燥運転スイッチ２０がＯＮ操作されると乾燥運転を実行し、暖房運転スイッチ２１がＯＮ操作されると暖房運転を実行し、涼風運転スイッチ２２がＯＮ操作されると涼風運転を実行し、換気運転スイッチ２３がＯＮ操作されると換気運転を実行するように構成されている。
以下に、夫々の運転について説明する。
【００３３】
乾燥運転について、図４及び図５に示すフローチャートに基づいて説明する。リモコン操作部Ｒの乾燥運転スイッチ２０がＯＮ操作されると、制御部Ｈは、熱源機Ｋの運転を開始させる（ステップ＃１）。そして、循環ファン８及び排気ファン１３を乾燥運転用の作動速度にて作動させ（ステップ＃２）、熱動弁１０を開弁状態にして、熱媒を熱交換器９に通流させる（ステップ＃３）。そして、浴室用シャッター１７を開放し、脱衣室用シャッター１８及びトイレ用シャッター１９を閉状態にする（ステップ＃４）。
【００３４】
このように、本浴室暖房乾燥装置は、通風加熱手段及び排気手段を作動させて乾燥運転を行うときには、吸引作用状態切換手段としての脱衣室用シャッター１８及びトイレ用シャッター１９を非作用状態に切換えるように構成されている。排気部ケーシング３ｂに設けられた３つのシャッターをこのような開閉状態にすることで、乾燥運転においては、排気ファン１３による吸引作用が浴室ＢＲに対して集中的に作用することになり、効果的に浴室ＢＲの空気を屋外に排出させることができる。
【００３５】
熱源機９、循環ファン８及び排気ファン１３の作動と、熱動弁１０、浴室用シャッター１７、脱衣室用シャッター１８及びトイレ用シャッター１９の開閉状態が乾燥運転用に制御された後は、再び乾燥運転スイッチ２０が押し操作されるまでの間、外気シャッター切換処理が実行される（ステップ＃５〜ステップ＃６）。
【００３６】
詳しくは後述するが、外部シャッター切換処理は、外気シャッター３３の開閉状態を屋外と屋内（本実施形態の場合脱衣室ＤＲ）の温湿度関係に応じて切換える処理であり、屋内の空気と屋外の空気とのうち、乾燥運転を行う場合に浴室に導入される空気として、湿度や温度の点でふさわしい方の空気が浴室ＢＲ内に導入されるように、外気シャッター３３の開閉が切換制御される。乾燥運転において外気シャッター切換処理が実行されると、屋外の空気の温湿度と脱衣室の空気の温湿度とを比較して、より好ましい空気が浴室ＢＲに導入されることになる。内外湿度差ΔＨ及び内外温度差ΔＴの値と外気シャッター３３の開閉状態との対応関係を図６に示す。
【００３７】
なお、乾燥運転においては、制御部Ｈは、吹き出し口５から浴室ＢＲ内に吹き出される空気が乾燥運転用に設定された目標温度になるように、熱源機９の作動と熱動弁１０の開閉を制御するようにしている。また、熱交換器９により加熱された空気が、乾燥用吹き出し方向としてほぼ真下の方向に吹き出されるように、可動ルーバー１１の向きを調整するようにしている。
【００３８】
乾燥運転中に乾燥運転スイッチ２０が押し操作されると、制御部Ｈは、熱源機９の運転を停止させ（ステップ＃７）、熱動弁１０を閉弁状態にし、循環ファン８及び排気ファン１３の作動を停止させて（ステップ＃８）、乾燥運転を終了する。
【００３９】
次に、乾燥運転が行われているときに実行される外部シャッター切換処理について、図５のフローチャートに基づいて説明する。
【００４０】
制御部Ｈは、屋内用温湿度センサーＳ１及び屋外用温湿度センサーＳ２の計測情報から、屋外湿度の値と屋内湿度の値との差ΔＨと屋外温度の値と屋内温度の値との差ΔＴとを算出する（ステップ＃１）。なお、このときの湿度差ΔＨ及び温度差ΔＴは、屋外のものから屋内のものを引いた値を用いている。
内外湿度差ΔＨ及び内外温度差ΔＴの値が求まると、内外湿度差ΔＨの絶対値が１０［％］以上であるかどうかを判別する（ステップ＃２）。内外湿度差ΔＨの絶対値が１０［％］以上であれば、浴室ＢＲに湿度の低い方の空気が導入されるように、外気シャッター３３の開閉状態を制御する。具体的には、ΔＨの値の正負を判別し（ステップ＃３）、ΔＨの値が正の値のとき、つまり、屋外湿度の方が屋内湿度より１０［％］以上高いとき（図６の環境状態Ｚ１に該当するとき）は、外気シャッター３３を閉状態にし（ステップ＃６）、ΔＨの値が負の値のとき、つまり、屋外湿度の方が屋内湿度より１０［％］以上低いとき（図６の環境状態Ｚ２に該当するとき）は、外気シャッター３３を開状態にする（ステップ＃７）。
【００４１】
一方、内外湿度差ΔＨの絶対値が１０［％］より小さければ、内外温度差ΔＴの絶対値が３［℃］以上であるかどうかを判別する（ステップ＃４）。そして、内外温度差ΔＴの絶対値が３［℃］以上であれば、浴室ＢＲに温度の高い方の空気が導入されるように、外気シャッター３３の開閉状態を制御する。具体的には、ΔＴの値の正負を判別し（ステップ＃５）、ΔＴの値が正の値のとき、つまり、屋外温度の方が屋内温度より３［℃］以上高いとき（図６の環境状態Ｚ３に該当するとき）は、外気シャッター３３を開状態にし（ステップ＃９）、ΔＴの値が負の値のとき、つまり、屋外温度の方が屋内温度より３［℃］以上低いとき（図６の環境状態Ｚ４に該当するとき）は、外気シャッター３３を閉状態にする（ステップ＃１０）。
【００４２】
そして、内外温度差ΔＴの絶対値が３［℃］より小さい場合（図６の環境状態Ｚ５に該当するとき）は、湿度及び温度のいずれについても屋外空気と屋内空気との差が顕著でない状態であり、浴室ＢＲに導入される空気は屋内の空気であっても屋外の空気であっても、乾燥運転に与える影響については温湿度の点では大きな違いはないと考えられる。本実施形態では、湿度及び温度のいずれについても屋外空気と屋内空気との差が顕著でない場合（ステップ＃４でＮｏと判別された場合）は、脱衣室ＤＲの空調状態に影響を与えないように配慮して、外気シャッター３３を開状態にして（ステップ＃８）、主に屋外の空気を導入するようになっている。
【００４３】
乾燥運転における浴室用シャッター１７、脱衣室用シャッター１８、トイレ用シャッター１９及び外気シャッター３３の開閉状態を、後述する暖房運転等の他の種別の運転を行う場合と併せて、図７の表に示す。図中の「※１」及び「※２」が付された外気シャッター３３開閉状態は、運転動作が開始されると実行される外気シャッター切換処理により開閉状態が設定させる。乾燥運転における外気シャッター切換処理による外気シャッター３３の開閉状態※１については上述した通りである。なお、後述する涼風運転における外気シャッター切換処理は、上述した乾燥運転における外気シャッター切換処理とは異なる内容のものとなっている。
【００４４】
次に、暖房運転、換気運転及び涼風運転について説明する。
まず、暖房運転について説明する。暖房運転では、制御部Ｈは、浴室用シャッター１７、脱衣室用シャッター１８、トイレ用シャッター１９及び外気シャッター３３の全てを閉状態にし（図７参照）、排気ファン１３を停止させ且つ循環ファン８を作動させるとともに、浴室ＢＲ内の温度を上昇させるように、熱動弁１０の開閉を制御して熱交換器９に熱媒としての温水を循環供給させ、熱交換器９により加熱された循環空気を吹き出し口５から浴室ＢＲ内に吹き出すようにしている。そして、浴室サーミスタ１５の検出情報に基づき、吸引口４から吸引される浴室ＢＲの空気の温度が暖房運転用の目標温度になるように、循環ファン８、熱動弁１０、排気ファン１３の作動を制御する。
【００４５】
具体的には、図３に示したリモコン操作部Ｒの暖房運転スイッチ２１がＯＮ操作されると、リモコン操作部Ｒの暖房（強）ランプが点灯し、タイマー設定表示が表示部２７に表示され、吹き出し口５の可動ルーバー１１が設定された風向位置に動いて暖房（強）運転が開始される。そして、暖房（強）運転中に暖房運転スイッチ２１がＯＮ操作されると、制御部Ｈは、暖房（強）運転から暖房（弱）運転へと切り替える。このとき、タイマー時間は、前回運転時と同じ設定時間でセットされるが、設定値の減少を指示する設定スイッチ２４及び設定値の増加を指示する設定スイッチ２５により適当な時間に設定することができる。
そして、浴室ＢＲ内へ通風される空気が、入浴者へ直接浴びせられるような暖房用吹き出し方向になるように、可動ルーバー１１の向きを調整するようにしている。
【００４６】
次に、換気運転について説明する。リモコン操作部Ｒの換気運転スイッチ２３がＯＮ操作されると、制御部Ｈは、循環ファン８の作動を停止しかつ熱動弁１０を閉状態に維持した状態で、浴室用シャッター１７、脱衣室用シャッター１８及びトイレ用シャッター１９を開放し、外気シャッター３３を閉状態にする（図７参照）。換気ファン１３を作動させ、可動ルーバー１１を閉状態に作動させて、浴室ＢＲ内から吸引した空気を排気ダクト１２を通して屋外に排気し、脱衣室ＤＲ及びトイレＴＲから吸引した空気も屋外に排気するようにしている。
２４時間換気スイッチがＯＮ操作された場合の２４時間換気運転中には、浴室用シャッター１７は閉じられており（図７参照）、脱衣室ＤＲとトイレＴＲから吸引された空気を排気ファン１３にて排気するように動作する。
【００４７】
次に、涼風運転について説明する。リモコン操作部Ｒの涼風運転スイッチ２２がＯＮ操作されると、制御部Ｈは、熱動弁１０を閉状態に維持した状態で循環ファン８を作動させるとともに、浴室用シャッター１７を開放させて、脱衣室用シャッター１８、トイレ用及びシャッター１９を閉状態にし（図７参照）、換気ファン１３を作動させ、浴室ＢＲ内から吸引した空気の一部を排気ダクト１２を通して屋外に排出させながら、浴室ＢＲ内から吸引した空気を加熱することなく通風路７を通して浴室ＢＲ内に吹き出すようにしている。
【００４８】
涼風運転が行われるときには、涼風運転用外気シャッター切換処理により、屋外空気の温度が屋内空気の温度より３［℃］以上低い場合は、外気シャッター３３が開放され、吹き出し口５から浴室ＢＲに吹き出される空気の一部に屋外の空気が含まれるようになっている。
そして、浴室ＢＲ内へ通風される空気が、入浴者へ直接浴びせられるような涼風用吹き出し方向になるように、可動ルーバー１１の向きを調整するようにしている。
【００４９】
リモコン操作部Ｒには、図３に示すように外気シャッター切換スイッチ４１と、外気シャッター３３の開閉が自動制御状態であれば点灯し手動制御状態であれば消灯する自動／手動表示灯４２と、自動制御状態及び手動制御状態における外気シャッター３３の開閉状態を表示する開閉状態表示灯４３とが備えられている。
【００５０】
外気シャッター切換スイッチ４１を１回押し操作すると、上述したいずれの運転種別においても、自動制御されている外気シャッター３３の開閉状態を強制的に開状態に維持させることができ、もう一度押し操作すると強制的に閉状態で維持させることができる。さらにもう一度、外気シャッター切換スイッチ４１を押し操作すると、外気シャッター３３の開閉状態を自動制御状態に復帰させることができるようになっている。
以下、別実施形態を列記する。
〔別実施形態〕
【００５１】
（１）上記実施形態では、本体ケーシング３ａの側面部に設けた外気吸入口２に排気ダクト３４を接続した例を示したが、排気ダクト３４の接続箇所は適宜変更可能である。例えば、浴室ＢＲの側壁や天井１に接続してもよいし、本体ケーシング３ａの上面に接続してもよい。
【００５２】
（２）上記実施形態では、外気導入手段の導入状態の切換えを制御手段を介して行うように構成されたものを例示したが、これに限らず、機械的な切換機構を手動操作することで外気導入手段の導入状態を切換えるように構成してもよい。
【００５３】
（３）上記実施形態では、乾燥室が浴室である例を示したが、浴室以外の空間を乾燥室とすることができる。例えば、スキーヤーが宿泊する施設に設けられるスキー道具を乾燥させるための部屋や、屋内プール施設に設けられスイマーの体を乾燥させるための乾燥室や、乾燥食料を保管する食料保管倉庫等、乾燥室としては、外部空間と隔てられた一定の大きさを有する空間であればよい。
【００５４】
（４）外気導入手段が導入状態である場合に、乾燥室に導入される空気として大きな割合で屋内空気が導入されるものでもよい。例えば、上記実施形態において、外気シャッターの開閉状態を閉状態から開状態までの間で任意の開閉状態を設定できるように構成し、必要に応じて、外気シャッターの開度を調整するように構成してもよい。
【００５５】
（５）上記実施形態では、第２温湿度計測手段としての屋外用温湿度センサーＳ２を熱源機Ｋに設けた例を示したが、第２温湿度計測手段の設置箇所は適宜変更可能である。例えば、外気導入ダクト３４の端部に位置する外気導入口３８や、浴室暖房乾燥ユニットＹの本体ケーシング３ａに設けた外気吸入口２の外気導入ダクト３４側に設けてもよい。
【００５６】
（６）上記実施形態では、第１温湿度計測手段としての屋内用温湿度センサーＳ１をリモコン操作部Ｒと一体に設けた例を示したが、第１温湿度計測手段の設置箇所は適宜変更可能である。例えば、浴室扉３９の下方に設けられたギャラリー４０と床上高さが略同じになるように、脱衣室ＤＲの壁面に設けてもよい。
【図面の簡単な説明】
【００５７】
【図１】本発明の乾燥装置が備えられた浴室暖房乾燥装置の設置状態を示す斜視図
【図２】図１の浴室暖房乾燥装置の縦断側面図
【図３】リモコン操作部の外観正面図
【図４】乾燥運転のフローチャート
【図５】乾燥運転における外気シャッター切換処理のフローチャート
【図６】乾燥運転における温湿度条件の区分と外気シャッターの開閉状態とを示す表
【図７】運転種別毎に各シャッターの開閉状態を示す表
【符号の説明】
【００５８】
ＢＲ  浴室，乾燥室
ＤＲ  隣接屋内空間，他屋内空間
ＴＲ  他屋内空間
Ｈ    制御手段
Ｓ１  第１温湿度計測手段
Ｓ２  第２温湿度計測手段
３ｂ、１２、１３、２９、３０、３１、３２  排気手段
７、８、９、１０  通風加熱手段
９    加熱器
１８、１９  吸引作用状態切換手段
３３  導入状態切換手段
３４  外気導入手段
４０  導入口
【図１】
2006275332.tif 000003
【図２】
2006275332.tif 000004
【図３】
2006275332.tif 000005
【図４】
2006275332.tif 000006
【図５】
2006275332.tif 000007
【図６】
2006275332.tif 000008
【図７】
2006275332.tif 000009